(57)【特許請求の範囲】
【請求項１】
喫煙品用の剛性ボックス（１）であって、
平行六面体形状を有しており、かつ、
上面壁を画定する第１のパネル（４）と；
前記第１のパネル（４）にヒンジ止めされ、前記第１のパネル（４）との関係において９０°折畳まれ、第１の側方壁を画定する第２のパネル（５）と；
前記第２のパネル（５）にヒンジ止めされ、前記第２のパネル（５）との関係において９０°折畳まれ、前記第１のパネル（４）に平行でかつこのパネルに面し、底面パネルを画定する第３のパネル（６）と；
前記第３のパネル（６）にヒンジ止めされ、前記第３のパネル（６）との関係において９０°折畳まれ、前記第２のパネル（５）に平行でかつこのパネルに面し、前記第１の側方壁に対面する側の第２の側方壁を画定する第４のパネル（７）と；
前記第４のパネル（７）にヒンジ止めされ、前記第４のパネル（７）との関係において９０°折畳まれ、前記第１のパネル（４）の内側表面に置かれこの表面に接着される第５のパネル（８）と；
前記第５のパネル（８）にヒンジ止めされ、前記第５のパネル（８）との関係において９０°折畳まれ、前記第２のパネル（５）および前記第４のパネル（７）に平行で、前記剛性ボックス（１）の内側体積を２つの隣接するチャンバ（１０、１１）に分割する第６のパネル（９）と；
前記第６のパネル（９）にヒンジ止めされ、前記第６のパネル（９）との関係において９０°折畳まれ、前記第３のパネル（６）の内側表面に置かれこの表面に接着される第７のパネル（１２）と；
を含むものにおいて、
前記第２のパネル（５）とは反対側から前記第１のパネル（４）にヒンジ止めされ、前記第１のパネル（４）自体を覆うことのできる枢動蓋を構成する第８のパネル（１３）を備えており、かつ、
前記第８のパネル（１３）と前記第１のパネル（４）の間に接着剤（２１）が挿入され、それにより、前記剛性ボックス（１）を開ける時に前記第８のパネル（１３）を前記第１のパネル（４）から分離できるようにされている；
ことを特徴とする剛性ボックス（１）。
【請求項２】
前記第４のパネル（７）および前記第６のパネル（９）によって側方で境界されている少なくとも１つの第１のチャンバ（１０）が、喫煙品（３）を格納するように設計されている、ことを特徴とする請求項１に記載の剛性ボックス（１）。
【請求項３】
前記第１のパネル（４）が、前記第１のチャンバ（１０）において形成されこのチャンバの内部に現われる少なくとも１つの第１の貫通孔（１４）を有し、
前記第５のパネル（８）が、前記第１のチャンバ（１０）において形成され前記第１の貫通孔（１４）に整列され重ね合わされている少なくとも１つの第２の貫通孔（１５）を有する、ことを特徴とする請求項２に記載の剛性ボックス（１）。
【請求項４】
前記第２の孔（１５）が前記第１の孔（１４）よりも大きく、前記第１の孔（１４）の縁部が完全に前記第２の孔（１５）の縁部の内側に存在するようになっている、ことを特徴とする請求項３に記載の剛性ボックス（１）。
【請求項５】
前記第６のパネル（９）および前記第２のパネル（５）によって側方で境界されている少なくとも１つの第２のチャンバ（１１）が、喫煙品（３）を格納するように設計されている、ことを特徴とする請求項１ないし４のいずれか１項に記載の剛性ボックス（１）。
【請求項６】
前記第１のパネル（４）が、前記第２のチャンバ（１１）において形成されこのチャンバの内部に現われる少なくとも１つの第３の貫通孔（１６）を有する、ことを特徴とする請求項５に記載の剛性ボックス（１）。
【請求項７】
前記第８のパネル（１３）と前記第１のパネル（４）の間に挿入された前記接着剤（２１）が非乾燥、再付着接着剤である、ことを特徴とする請求項１ないし６のいずれか１項に記載の剛性ボックス（１）。
【請求項８】
前記第８のパネル（１３）と前記第１のパネル（４）の間に挿入された前記接着剤（２１）が、前記剛性ボックス（１）が初めて開封される際に降伏する弱付着接着剤である、  ことを特徴とする請求項１ないし６のいずれか１項に記載の剛性ボックス（１）。
【請求項９】
前記第１のパネル（４）の前記対面する側の端部において前記第１のパネル（４）にヒンジ止めされ、前記第１のパネル（４）との関係において９０°折畳まれ、それぞれ前方壁の一部または後方壁の一部を画定する２つの第１のタブ（１７）を前記第１のパネル（４）が含み；かつ
前記第３のパネル（６）の前記対面する側の端部において前記第３のパネル（６）にヒンジ止めされ、前記第３のパネル（６）との関係において９０°折畳まれ、前記第１のタブ（１７）に重ね合わされ接着され、前記前方壁の一部および前記後方壁の一部を画定する２つの第２のタブ（１８）を前記第３のパネル（６）が含む、
ことを特徴とする請求項１ないし８のいずれか１項に記載の剛性ボックス（１）。
【請求項１０】
前記第１のタブ（１７）が、前記第２のタブ（１８）より大きい横方向寸法を有する、  ことを特徴とする請求項９に記載の剛性ボックス（１）。
【請求項１１】
前記タブ（１７、１８）の縁部が、前記第２のパネル（５）および前記第４のパネル（７）の縁部からゼロ以外の所与の距離のところにあって、対応する貫通開口部を画定している、
ことを特徴とする請求項９または１０に記載の剛性ボックス（１）。
【請求項１２】
前記第１のパネル（４）および前記第３のパネル（６）から前記タブ（１７、１８）を分離する折り目の少なくともいくつかが予め弱化された引裂き線である、
ことを特徴とする請求項９、１０または１１に記載の剛性ボックス（１）。
【請求項１３】
喫煙品用剛性ボックス（１）の製造方法であって、
剛性ボックス（１）は平行六面体形状であって、
上面壁を画定する第１のパネル（４）と；
前記第１のパネル（４）にヒンジ止めされ、第１の側方壁を画定する第２のパネル（５）と；
前記第２のパネル（５）にヒンジ止めされ、底面パネルを画定する第３のパネル（６）と；
前記第３のパネル（６）にヒンジ止めされ、前記第１の側方壁に対面する側の第２の側方壁を画定する第４のパネル（７）と；
前記第４のパネル（７）にヒンジ止めされる第５のパネル（８）と；
前記第５のパネル（８）にヒンジ止めされ、前記剛性ボックス（１）の内側体積を２つの隣接するチャンバ（１０、１１）に分割するように設計されている第６のパネル（９）と；
前記第６のパネル（９）にヒンジ止めされる第７のパネル（１２）と；
前記第２のパネル（５）の前記対面する側から前記第１のパネル（４）にヒンジ止めされ、前記第１のパネル（４）自体を覆うことのできる枢動蓋を構成する第８のパネル（１３）と；
を含むブランクを折畳むことにより製造されるものにおいて、
製造方法は、
第１のチャンバ（１０）と同じサイズを有する平行六面体形状の折畳みスピンドル（２４）上に前記第３のパネル（６）を設置するステップと；
前記折畳みスピンドル（２４）上に前記第３のパネル（６）を設置する前に前記第１のパネル（４）上に前記第８のパネル（１３）を重ね合わせ接着するステップと；
前記折畳みスピンドル（２４）上に、前記第３のパネル（６）との関係において９０°前記第４のパネル（７）を折畳むステップと；
前記折畳みスピンドル（２４）上に、前記第４のパネル（７）との関係において９０°前記第５のパネル（８）を折畳むステップと；
前記折畳みスピンドル（２４）上に、前記第５のパネル（８）との関係において９０°前記第６のパネル（９）を折畳み、それと同時に前記第３のパネル（６）の内側表面上に、前記第６のパネル（９）との関係において９０°前記第７のパネル（１２）を折畳むステップと；
前記第３のパネル（６）との関係において９０°前記第２のパネル（５）を折畳むステップと；
前記第５のパネル（８）の外側表面上に、前記第２のパネル（５）との関係において９０°前記第１のパネル（４）を折畳むステップと；
を含む、
ことを特徴とする方法。
【請求項１４】
前記第１のパネル（４）が、前記第１のパネル（４）の前記対面する側の端部において前記第１のパネル（４）にヒンジ止めされ、それぞれ前方壁の一部または後方壁の一部を画定する２つの第１のタブ（１７）を含み；かつ
前記第３のパネル（６）が、前記第３のパネル（６）の前記対面する側の端部において前記第３のパネル（６）にヒンジ止めされ、前記前方壁の一部および前記後方壁の一部を画定する２つの第２のタブ（１８）を含み、
さらに、前記第３のパネル（６）との関係において９０°第２のタブ（１８）を折畳むステップ、および前記第１のパネル（４）との関係において９０°前記第１のタブ（１７）を折畳んで前記第２のタブ（１８）上に前記第１のタブ（１７）を重ね合わせるステップが提供される、
ことを特徴とする請求項１３に記載の方法。
【請求項１５】
前記タブ（１７、１８）の前記折畳みを完了する前に前記剛性ボックス（１）から軸方向に前記折畳みスピンドル（２４）を引き抜くステップと；
前記タブ（１７、１８）の前記折畳みを完了する前に前記剛性ボックス（１）の対応するチャンバ（１０、１１）の内部に軸方向に少なくとも１つの製品（２、３）を挿入するステップと；
をさらに含む、
ことを特徴とする請求項１４に記載の方法。
【発明の詳細な説明】
【技術分野】
【０００１】
本発明は、喫煙品用の剛性ボックスおよび対応する製造方法に関する。
【０００２】
本発明は、有利には、以下の説明が明示的に言及している葉巻のための剛性ボックスに応用されるが、そのために普遍性が失われるわけではない。
【背景技術】
【０００３】
概して、最高級の葉巻は、ネジ付きキャップが具備された金属管内に個別包装される。近年、ボール紙の剛性ボックス（すなわち金属部品が全く無いボックス）内に個別包装された上質葉巻を市販する必要性が感じられるようになってきた。詳細には、葉巻用のボール紙製剛性ボックスは、過剰な量の包材を使用することなく葉巻自体に対し適切な機械的保護を提供できなければならず、従来の自動梱包機内で比較的簡単に製造できなければならない。
【０００４】
単一の葉巻の包装のためには、標準的タイプのボール紙の剛性ボックス、すなわち４つの側方壁と２つの端部壁を有する平行六面体形状の剛性ボックスの使用が提案されてきた。前記標準タイプのボール紙の剛性ボックスは、削減された量の包材を使用し、従来の自動梱包機内で容易に製造可能であるが、一方で、内部に格納される葉巻に対して提供される機械的保護は低いものである。その上、前記標準タイプのボール紙の剛性ボックスは、必要な場合にアクセサリ（例えばライター）またはガジェットを収納することもできない。
【０００５】
特許文献１では、内部に格納された葉巻に対して優れた機械的保護を提供する単一の葉巻用のボール紙製剛性ボックスが提供されている。しかしながら、この剛性ボックスは、大量の包材の使用を必要とし、従来の自動梱包機内で製造するのが困難かつ複雑である（同様に２つの独立したブランクの使用を必要とするということもその理由である）。
【０００６】
特許文献２、特許文献３、特許文献４、特許文献５、特許文献６および特許文献７は、剛性ボックスの内側体積を２つの隣接するチャンバに分割するパネルを含む剛性ボックスを記載している。
【０００７】
特許文献４および特許文献６は、ボックスの上面壁が、それぞれのチャンバに対応して形成されてチャンバの内部に誘導しボックスの外部からのチャンバ自体へのアクセスを提供する貫通孔を有することを記載している。前記貫通孔の存在は、チャンバ内部に格納された物品を容易に見えるようにするものの、その一方で、（例えば、ボックスが長時間衣服のポケット内またはハンドバック内で輸送される場合、またさらにはボックスが梱包機内で製造される場合でさえ）チャンバから物品が偶発的に（単に部分的であっても）脱出する可能性も増大する。上部壁の貫通孔からの物品の望ましくない抜け出しのリスクを制限するために、貫通孔自体のサイズを制限することが提案されてきた。しかしながら、この解決法は、チャンバ内に格納された物品の可視性を著しく限定することから、貫通孔の機能性に大きな不利益をもたらす。
【先行技術文献】
【特許文献】
【０００８】
【特許文献１】スペイン実用新案第１０５６３１９Ｕ号
【特許文献２】独国実用新案第９１１４７８８Ｕ１号
【特許文献３】独国実用新案第２０２０１０００９２５６Ｕ１号
【特許文献４】日本実用新案出願平０２１４１３２３Ｕ号
【特許文献５】米国特許第３０６６６８Ａ号
【特許文献６】特許文献６国際公開第０１４６０３１Ａ１号
【特許文献７】米国特許出願公開第２０１１３０８９８Ａ１号
【発明の概要】
【発明が解決しようとする課題】
【０００９】
本発明の目的は、上述の欠点が無く、同時に製造が容易かつ安価である喫煙品用の剛性ボックスを提供することにある。本発明のさらなる目的は、喫煙品用の前記剛性ボックスを製造する方法を提供することにある。
【課題を解決するための手段】
【００１０】
本発明によると、添付のクレーム内で請求されている通りの、喫煙品用の剛性ボックスおよびそれぞれの製造方法が提供されている。
【００１１】
本発明について、ここで、非限定的実施形態を例示する添付図面を参照しながら説明する。
【図面の簡単な説明】
【００１２】
【図１】本発明にしたがって製造された喫煙品用の剛性ボックスの、閉鎖された構成でかつその独自の内容物がない状態での前面斜視図である。
【図２】開いた状態でかつ内容物がない状態での、図１の剛性ボックスの前面斜視図である。
【図３】開いた状態でかつ内容物がない状態での、図１の剛性ボックスの前面斜視図および部分分解組立図である。
【図４】開いた状態でかつ内容物がない状態での、図１の剛性ボックスの横断面図である。
【図５】図１の剛性ボックスを製造するのに使用される、完全に平らに配置されたブランクの平面図である。
【図６】図５のブランクの折畳みステップの１つを示す斜視図である。
【図７】図５のブランクの折畳みステップの１つを示す斜視図である。
【図８】図５のブランクの折畳みステップの１つを示す斜視図である。
【図９】図５のブランクの折畳みステップの１つを示す斜視図である。
【図１０】図５のブランクの折畳みステップの１つを示す斜視図である。
【図１１】図５のブランクの折畳みステップの１つを示す斜視図である。
【図１２】開いた状態でかつ内容物がない状態での、図１の剛性ボックスの前面斜視図である。
【図１３】開いた状態でかつ内容物がない状態での、図１の剛性ボックスの前面斜視図である。
【図１４】開いた状態でかつ内容物がない状態での、図１の剛性ボックスの横断面である。
【発明を実施するための形態】
【００１３】
図１において、番号１は、（少なくとも）１つの喫煙品２（図１３、１４および１５に例示）および必要な場合には（少なくとも）１つのアクセサリまたはガジェット３（図１３、１４および１５に概略的に例示）を格納するために設計された平行六面体形状の剛性ボックスを全体として表わしている。一例として、喫煙品２は、好ましくは透明かつ防水性の（例えばポリプロピレンまたはそれに類するものでできた）包材中に包まれた葉巻であり得る。しかしながら、他の完全に等価の実施形態によると、喫煙品２は、葉巻とは異なるもの、例えば電子たばこまたは（少なくとも）１つの電子たばこ用交換カートリッジであり得る。一例として、アクセサリまたはガジェット３は、ライターまたはマッチ箱であり得る。
【００１４】
図１ないし４で例示されている通り、剛性ボックス１は、平行六面体形状を有し、互いに対面し平行な上部壁と底面壁、互いに対面し平行な前方壁と後方壁、および互いに対面し平行な２つの側方壁を有する。
詳細には、剛性ボックス１は、上部壁を画定するパネル４、パネル４にヒンジ止めされパネル４との関係において９０°折畳まれ側方壁を画定するパネル５、パネル５にヒンジ止めされパネル５との関係において９０°折畳まれ、パネル４に平行でこのパネルに面しかつ底面壁を画定するパネル６、パネル６にヒンジ止めされパネル６との関係において９０°折畳まれ、パネル５に平行でこのパネルに面しかつもう一方の側方壁を画定するパネル７、およびパネル７にヒンジ止めされパネル７との関係において９０°折畳まれ、パネル４の内側表面に置かれこの表面に接着されるパネル８を含む。
さらに、ボックス１は、パネル８にヒンジ止めされパネル８との関係において９０°折畳まれ、パネル５およびパネル７に平行で、かつ剛性ボックス１の内側体積を２つの隣接するチャンバ１０および１１に分割する剛性パネル９、およびパネル９にヒンジ止めされ、パネル９との関係において９０°折畳まれ、パネル６の内側表面上の載りこの表面に接着されるパネル１２を含む。チャンバ１０は、パネル７によって（外部に向かって）、およびパネル９によって（内部に向かって）側方で境界され、上面においては、（パネル４の内側表面に接着された）パネル８により境界され、底面においてはパネル３により境界されている。
チャンバ１１は、側方ではパネル２によって（外部に向かって）およびパネル９によって（内部に向かって）境界され、上面ではパネル４により境界され、底面ではパネル３によって境界されている。
【００１５】
図１４に例示されている通り、チャンバ１０は、アクセサリ３を格納するように設計されており、比較的大きく、一方チャンバ１１は喫煙品２を格納するように設計され、比較的小さい。
当然のことながら、例示されていない完全に等価である他の実施形態によると、２つのチャンバ１０および１１は、異なる寸法的比率を有し得る（例えば、同じサイズを有することができるか、またはチャンバ１１が比較的大きいものであり得る）。
さらに例示されていない完全に等価である他の実施形態によると、両方のチャンバ１０および１１共に、それぞれの喫煙品３を格納することができるか、または喫煙品３は、チャンバ１１内ではなくチャンバ１０内に収納され得る。
【００１６】
さらに、ボックス１は、パネル５の対面する側からパネル４にヒンジ止めされ、パネル４自体を覆うことのできる枢動蓋を構成する剛性パネル１３を含む。換言すると、パネル１３により作られる枢動蓋は、上部壁を画定してパネル４自体との関係において、蓋がパネル４に置かれパネル４自体全体を覆う閉鎖位置（図１に例示）と、蓋がパネル４から離れてパネル４自体を露出された状態に残す開放位置（図２〜４に例示）との間で回転するパネル４に対しヒンジ止めされる。
【００１７】
好ましい（ただし拘束力のない）実施形態によると、パネル４は、チャンバ１０自体の内部に誘導するようにチャンバ１０において形成されている（少なくとも）１つの貫通孔１４を有し、パネル８は、チャンバ１０において形成され貫通孔１４と整列されこの貫通孔上に重ね合わされる（少なくとも）１つの貫通孔１５を有する。
好ましくは、貫通孔１５は貫通孔１４よりも（わずかに）大きく、貫通孔１４の縁部が貫通孔１５の縁部の内側に（一定の許容誤差を伴って）完全に包含されるようになっている。このようにして、貫通孔１５の縁部は、貫通孔１４および１５の製造および位置づけ上の不可避的な許容誤差を考慮した場合も、貫通孔１４を通して不可視であり、こうして美的外観上有利である。
換言すると、２つの貫通孔１４および１５のサイズが同一であった場合、それらの製造およびその位置づけの両方において、貫通孔１４および１５の間の完璧な整列を保証するために非常に高い精度が求められると考えられる。しかしながら、前記精度は、梱包機内での達成が困難であり、この場合（わずかな）ずれが頻繁に発生し、これにより貫通孔１４を通して下にある貫通孔１５の縁部が露呈され、その影響は極めて不快なものである。前記問題は、貫通孔１５を貫通孔１４よりも（わずかに）大きくすることによって、非常に簡単かつ全面的に解決される。
【００１８】
好ましい（ただし拘束力のない）実施形態によるとパネル４は、チャンバ１１自体の内部に誘導するようにチャンバ１１において形成される（少なくとも）もう１つの貫通孔１６を有する。
【００１９】
孔１４、１５および１６の役割は、上方から（すなわちパネル４により形成された上部壁を通して）、チャンバ１０および１１の内容物（すなわち喫煙品２および存在する場合にはアクセサリ３）を（部分的に）見えるようにすることにある。明らかに、２つのチャンバ１０および１１のうちの一方が空である場合（すなわちアクセサリ３が存在しない場合）には、通常、対応する孔１４（およびそれぞれの孔１５）および１６のいずれも存在しない。
【００２０】
パネル４は、パネル４の対面する側の端部においてパネル４にヒンジ止めされパネル４との関係において９０°折畳まれ、それぞれ前方壁の一部分および後方壁の一部分を画定する２つのタブ１７（図３により良く例示されている）を含み；同様にして、パネル６は、パネル６の対面する側の端部においてパネル６にヒンジ止めされパネル６との関係において９０°折畳まれ、タブ１７に重ね合わされ接着され、前方壁の一部分および後方壁の一部分を画定する２つのタブ１８を含む。
好ましくは（ただし義務的にではなく）、タブ１７は、前方壁および後方壁の外側部分を構成し、そのときタブ１８は、前方壁および後方壁の内側部分を構成する。換言すると、タブ１７は、タブ１８の外側表面上に接着され、このときタブ１８自体を完全に覆う。
【００２１】
考えられる一実施形態によると、タブ１７は、タブ１８よりも（わずかに）大きい横断方向寸法を有し、そのためタブ１８の横断方向縁部はタブ１７によって完全に覆われるようになっている。このようにして、タブ１８の横断方向縁部は、タブ１７および１８の製造および位置づけ上の不可避的な許容誤差を考慮しても、完全に不可視であり、こうして美的外観上有利である。
換言すると、タブ１７および１８の横断方向寸法が同一であった場合、それらの製造およびその位置づけの両方において、対応する横断方向縁部の間の完璧な整列を保証するために非常に高い精度が求められると考えられる。
しかしながら、前記精度は、梱包機内での達成が困難であり、この場合（わずかな）ずれが頻繁に発生し、その美的影響は極めて不快なものである。前記問題は、タブ１８よりも横方向に（わずかに）大きいタブ１７を製造することによって、非常に簡単かつ全面的に解決される。
【００２２】
添付図面に例示されている通り、パネル５および７（すなわち側方壁）の縁部は、タブ１７および１８（すなわち前方壁および後方壁）の縁部と一致し、したがって、パネル５および７（すなわち側方壁）の縁部とタブ１７および１８（すなわち後方壁および後方壁）の縁部の間には貫通開口部が全く存在しない。
例示されていない一変形形態によると、パネル５および７（すなわち側方壁）の縁部は、タブ１７および１８（すなわち前方壁および後方壁）の縁部から離隔されていて、パネル５および７（すなわち側方壁）の縁部とタブ１７および１８（すなわち前方壁および後方壁）の縁部の間に対応する貫通開口部を画定する。
前記結果は、パネル５および７（すなわち側方壁）の幅をより狭く製造することおよび／またはタブ１７および１８（すなわち前方壁および後方壁）の幅をより狭く製造することによって得ることができる。
換言すると、タブ１７および１８（すなわち前方壁および後方壁）の縁部とパネル５および７（すなわち側方壁）の縁部の間の貫通開口部を画定するために、パネル５および７（すなわち側方壁）は、パネル４（すなわち上面壁）およびパネル６（すなわち底面壁）との関係においてより短い長手方向延長部分を有することができ、かつ／またはタブ１７および１８（すなわち前方壁および後方壁）は、パネル４（すなわち上面壁）およびパネル６（すなわち底面壁）との関係においてより短い長手方向延長部分を有することができる。
タブ１７および１８（すなわち前方壁および後方壁）の縁部とパネル５および７（すなわち側方壁）の縁部の間の前記貫通開口部の役割は、チャンバ１０および１１の内容物（すなわち喫煙品２および存在する場合はアクセサリ３）を（部分的に）見ることができるようにすることにある。タブ１７および１８（すなわち前方壁および後方壁）の縁部とパネル５および７（すなわち側方壁）の縁部の間の前記貫通開口部のさらなる役割は、（以下でより良く説明する通り）喫煙品２および存在する場合にはアクセサリ３を軸方向に引き出すための前方壁および後方壁の剥ぎ取り除去を容易にすることにある。
【００２３】
図４に例示されている通り、剛性ボックス１の形状は、パネル４とパネル８の間（明らかに孔１４および１５の外側）に接着剤１９を間置してパネル４および８を共に接着することによって、およびパネル６とパネル１２の間に接着剤２０を間置してパネル６および１２を接着することによって、安定化される。さらに、前方壁および後方壁は、対応するタブ１７および１８の間に接着剤を間置して対応するタブ１７および１８自体を接着することによって安定化される。
【００２４】
図２、３および４で例示されている通り、パネル１３とパネル４の間には、接着剤２１が間置されており、これがパネル４および１３間の一時的接着を確定し、剛性ボックス１の開口部におけるパネル４（すなわち上面壁）からのパネル１３（すなわち蓋）の分離を可能にする。接着剤２１の役割は、剛性ボックス１の取扱い作業中、パネル１３（すなわち蓋）をパネル４（すなわち上部壁）に粘着した状態に保つことにある。
考えられる一実施形態によると、パネル１３とパネル４の間に間置される接着剤２１は、非乾燥、再付着接着剤である。このようにして、接着剤２１は、剛性ボックス１の初回開放後でも作用する（すなわちパネル１３をパネル４に粘着した状態に保つ）。代替的には、パネル１３とパネル４の間に間置された接着剤２１は、剛性ボックス１の初回開放ときに（その効果を完全に停止することによって）破断される弱付着接着剤である。
【００２５】
使用中、ユーザーは、パネル１３（すなわち蓋）を開放し次に上方から対応する貫通孔１４、１５および１６を通してチャンバ１０および１１を観察することによって、剛性ボックス１の内容物を点検することができる（すなわち、貫通孔１４、１５および１６を通して、ユーザーは上方から喫煙品２および存在する場合にはアクセサリ３を見ることができる）。
物品２および存在する場合にはアクセサリ３を対応するチャンバ１０および１１から引き出すために、ユーザーは概して、（互いに重ね合わされ接着された２つのタブ１７および１８からなる）前方壁および／または（互いに重ね合わされ接着された２つのタブ１７および１８からなる）後方壁を破断し、次に、物品２および存在する場合には付属物３を軸方向に引き出す。
前方壁および後方壁の破断を容易にするために、対応するパネル４および６から前記壁（すなわちタブ１７および１８）を分離する折り目は、容易に剥ぎ取られるように予め弱化されていてよい（例えば、小さく離隔された一連の貫通切込みによって構成されてよい）。
前方壁および後方壁（すなわちタブ１７および１８）の剥ぎ取りは、タブ１７および１８の縁部（すなわち前方壁および後方壁の縁部）をパネル５および７（すなわち側方壁）の縁部から一定の距離のところに見出すことができ、こうして側方壁の縁部と前方壁または後方壁の縁部の間に指を入れて外向きに引張りその後前方壁または後方壁を簡単かつ直観的に剥ぎ取ることができるという事実によって、容易になり得る。
【００２６】
図５に示されている通り、剛性ボックス１は、実質的に細長い矩形形状を有する平坦なブランク２２を折畳むことにより得られる。ブランク２２は、（左から右へ）パネル１３、パネル４、パネル５、パネル６、パネル７、パネル８、パネル９およびパネル１２を画定する複数の長手方向の予め弱化された線２３を有する。
【００２７】
剛性ボックス１を製造するためにブランク２２を折畳む方法は、図５に例示されているブランク２２および図６ないし１１に例示されている折畳み順序を特に参照して、以下で説明される。
【００２８】
最初にかつ予備的に、パネル１３は、パネル４に重ね合わされ（接着剤２１を用いて）接着される、この作業は、剛性ボックス１を製造する梱包機の上流側で（すなわちブランク２２が梱包機に補給される前に）、さらには同じ梱包機の内部でさえ実施され得る。
【００２９】
ひとたびパネル１３をパネル４に重ね合わせ（接着剤２１を用いて）接着した時点で、パネル６は、（図６に例示される通りの）チャンバ１０と同じ寸法を有する管状で平行六面体形状（概して内部は中空）の折畳みスピンドル２４上に設置される。
その後、パネル７が、（図７に例示される通り）折畳みスピンドル２４上にパネル６との関係において９０°折畳まれる。
その後、パネル８が、（図８に例示される通り）折畳みスピンドル２４上にパネル７との関係において９０°折畳まれ、その後パネル９が、折畳みスピンドル２４上にパネル８との関係において９０°折畳まれ、同時にパネル９は、（図９に例示される通り）パネル６の内側表面上にパネル９との関係において９０°折畳まれる。
この作業の前に、パネル６とパネル１２の間に、接着剤２０（パネル６上またはパネル１２上のいずれかに被着され得る）が間置され、これがパネル６および１２自体の間の接着を確定する。
その後、パネル５は、（図１０に例示される通り）パネル６との関係において９０°折畳まれる。
その後、パネル４は（パネル１３と共に）、（図１１に例示されている通り）パネル８の外側表面上にパネル５との関係において９０°折畳まれる。
この作業の前に、パネル４とパネル８の間に、接着剤１９が間置され（これはパネル４上またはパネル８上のいずれかに被着され得る）、これがパネル４および８自体の間の接着を確定する。
【００３０】
この時点で、折畳みスピンドル２４は、剛性ボックス１のチャンバ１０から軸方向に引き抜かれ（すなわち、剛性ボックス１のチャンバ１０は、折畳みスピンドル２４から軸方向に引張られ）、その後喫煙品２および存在する場合にはアクセサリ３が、対応するチャンバ１０および１１内に軸方向に挿入される。
ひとたび喫煙品２および存在する場合にはアクセサリ３が、対応するチャンバ１０および１１内に軸方向に挿入された時点で、タブ１８はパネル６との関係において９０°折畳まれ、その後タブ１７がパネル４との関係において９０°折畳まれて、先に折畳まれたタブ１８の上に重ね合わされる。
この作業の前に、タブ１７および１８の間に、接着剤が間置され（これはタブ１７またはタブ１８のいずれかの上に被着され得る）、これがタブ１７および１８自体の間の接着を確定する。
明らかに、対応するチャンバ１０および１１内に喫煙品２および存在する場合にはアクセサリ３を軸方向に挿入する前に前方壁または後方壁の製造を完了し、その後喫煙品２および存在する場合にはアクセサリ３を対応するチャンバ１０および１１内に軸方向に挿入した後に後方壁または前方壁の構築を完了することが可能である。
【００３１】
上述の剛性ボックス１には多くの利点がある。
第１に、上述の剛性ボックス１は、内容物（すなわち喫煙品２および存在する場合にはアクセサリ３）に対する非常に優れた機械的保護を提供する。実際、内部補強リブを構成するパネル９の存在に起因して、かつ接着剤１９および２０が塗布される部域が極めて広い（そのためパネル４とパネル８の間、およびパネル６とパネル１２の間の両方における非常に頑強な粘着力を保証する）という事実のため、極めて堅牢である。
【００３２】
さらに、上述の剛性ボックス１は、比較的控え目な量の包材の使用しか必要としない。この点に関して、以上で説明され図５に例示されている剛性ボックス１を製造するために使用されるブランク２２が、正矩形の形状を有し、したがってその製造には大量の残片が関与しない（ブランクはつねに、完全に矩形のボール紙片から出発して押し抜きによって作製される）ということを考察することが重要である。
【００３３】
最後に、上述の剛性ボックス１は同様に、従来の自動梱包機内で製造可能であることから、製造が容易でもある。あるいは、上述の剛性ボックス１を製造するために従来の自動梱包機に対して加えられる変更は、抑制された実質的に些末なものである。
【図１】
0006612848.tif 000002
【図２】
0006612848.tif 000003
【図３】
0006612848.tif 000004
【図４】
0006612848.tif 000005
【図５】
0006612848.tif 000006
【図６】
0006612848.tif 000007
【図７】
0006612848.tif 000008
【図８】
0006612848.tif 000009
【図９】
0006612848.tif 000010
【図１０】
0006612848.tif 000011
【図１１】
0006612848.tif 000012
【図１２】
0006612848.tif 000013
【図１３】
0006612848.tif 000014
【図１４】
0006612848.tif 000015